(57)【要約】【課題】大型の使用済み吸収性物品でも簡単にかつ衛生的に包むことができるようにする。【解決手段】縦長の生理用ナプキン１と、生理用ナプキン１を個装する個装シート１１とを備える。個装シート１１は、長手方向の少なくとも一部の区間に、長手方向に伸張可能な伸張可能部２０が設けられている。この伸張可能部２０は、個装シート１１が長手方向に複数に折り畳まれた蛇腹部２１、個装シート１１として長手方向に伸張可能な伸縮フィルムを用いること、又は長手方向に伸張可能な伸縮シート２５が、長手方向の両端部に設けられた伸縮シート固着部２６によって個装シート１１に接合された状態で配置されるとともに、平面視において伸縮シート２５と重なる位置であって伸縮シート固着部２６の間において、個装シート１１が長手方向に分割可能に形成されることにより構成されている。【選択図】図３
2020124424.tif 000002
【特許請求の範囲】
【請求項１】
縦長の吸収性物品と、前記吸収性物品を個装する個装シートとを備えた個装吸収性物品であって、
前記個装シートは、長手方向の少なくとも一部の区間に、長手方向に伸張可能な伸張可能部が設けられていることを特徴とする個装吸収性物品。
【請求項２】
前記伸張可能部は、前記個装シートが長手方向に複数に折り畳まれた蛇腹部によって構成されている請求項１記載の個装吸収性物品。
【請求項３】
前記伸張可能部は、前記個装シートとして、長手方向に伸張可能な伸縮フィルムを用いることにより構成されている請求項１記載の個装吸収性物品。
【請求項４】
前記伸張可能部は、長手方向に伸張可能な伸縮シートが、長手方向の両端部に設けられた伸縮シート固着部によって前記個装シートに接合された状態で配置されるとともに、平面視において前記伸縮シートと重なる位置であって前記伸縮シート固着部の間において、前記個装シートが長手方向に分割可能に形成されることにより構成されている請求項１記載の個装吸収性物品。
【請求項５】
前記個装吸収性物品は、前記吸収性物品に具備されたズレ止め粘着剤層を覆う剥離シートを備え、
前記剥離シートは、前記伸張可能部より長手方向の外方側に設けられた剥離シート固着部で前記個装シートに接合されるとともに、平面視において前記伸張可能部と重なる位置で、前記剥離シートが長手方向に分割可能に形成されている請求項１〜４いずれかに記載の個装吸収性物品。
【請求項６】
前記剥離シートの所定位置に、幅方向に亘るミシン目が設けられている請求項５記載の個装吸収性物品。
【請求項７】
前記剥離シートが分割される位置において、前記剥離シートの長手方向両側の外形線を幅方向に窪ませた凹部が形成されている請求項５、６いずれかに記載の個装吸収性物品。
【発明の詳細な説明】
【技術分野】
【０００１】
本発明は、縦長の吸収性物品が個装シートによって個装された個装吸収性物品であって、前記個装シートの長手方向の少なくとも一部の区間に、長手方向に伸張可能な伸張可能部が設けられた個装吸収性物品に関する。
【背景技術】
【０００２】
従来より、生理用ナプキン、パンティライナー、おりものシート、失禁パッドなどの吸収性物品Ｎとしては、例えば図１２に示されるように、ポリエチレンシートまたはポリエチレンラミネート不織布などからなる不透液性裏面シート５０と、不織布または透孔性プラスチックシートなどからなる透液性表面シート５１との間に綿状パルプなどからなる吸収体５２を介在させ、かつ装着状態でのズレ止めを図るために、例えば本体部分の非肌当接面側（不透液性裏面シート５０の外面）に１または複数条の本体ズレ止め粘着剤層５３，５３を形成したものが知られている。
【０００３】
一方、前記吸収性物品Ｎを個装するに際しては、図１３に示されるように、前記粘着剤層５３…を紙又はフィルムからなる剥離シート６０によって被覆するとともに、吸収性物品Ｎの外面側に個装シート６１を配置し、吸収性物品Ｎ、剥離シート６０及び個装シート６１を共に長手方向に三つ折り又は四つ折りとした後、開口する両側縁部分をヒートシールによって封止するとともに、開封部をタグテープ６２により止着する方法が一般的である。
【０００４】
かかる個装吸収性物品の使用に当たっては、タグテープ６２を外し、長手方向の折り畳みを開放して展開状態として吸収性物品Ｎを取り出し、剥離シート６０を剥離して下着に装着する。また、使用済み吸収性物品の廃棄に当たっては、使用済み吸収性物品を長手方向に丸めた後、新しい吸収性物品Ｎを取り出した個装シート６１で包んで、その端部をタグテープ６２で止着した状態で廃棄することが多く行われている。
【０００５】
このような個装吸収性物品において、使用済み吸収性物品の廃棄方法等を改良した製品が種々開発されている。例えば、下記特許文献１においては、包装フィルムの少なくとも一部に袋状部を備え、ナプキンの取り替えにあたって、新しい生理用ナプキンを取り出した後の包装フィルムの袋状部に使用済みナプキンを入れて廃棄する方法が開示されている。
【０００６】
また、下記特許文献２においては、裏面シートの非肌面側に、吸収性物品の外縁よりも内側に配置されたテープ部材を有し、前記テープ部材は、吸収性物品の外縁よりも外側に延出可能に構成され、吸収性物品の使用後に、外側に延出させたテープ部材を、裏面シートの別の部分に設けられた粘着部に取り付けることによって、吸収性物品を丸めた状態に維持することができるようにした方法が開示されている。
【先行技術文献】
【特許文献】
【０００７】
【特許文献１】特開２００１−８７３０６号公報
【特許文献２】特開２０１８−９９３号公報
【発明の概要】
【発明が解決しようとする課題】
【０００８】
しかしながら、就寝時に夜用ナプキンを装着し、起床後に昼用ナプキンに交換する際、使用済みの夜用ナプキンを長手方向に丸めて、新しく取り出した昼用ナプキンの個装シートで包もうとしても、夜用ナプキンが昼用ナプキンと比較してかなり大型であるため、昼用ナプキンの個装シートでは包みきれず、使用済みナプキンを丸めた状態が解除して、経血吸収部分が露出するおそれがあった。
【０００９】
上記特許文献１記載の個包装体では、包装フィルムの袋状部より使用済みナプキンが大きい場合には、袋状部に入れにくいという問題がある。また、小さく丸めて無理に入れようとすると、不衛生な使用済みナプキンを触る頻度が増すため、衛生上の問題がある。他方で、上記特許文献２記載の吸収性物品では、新しく取り出した吸収性物品の個装シートは使用せずに、吸収性物品に予め備えられたテープ部材を用いて、吸収性物品を丸めた状態に維持しているが、不衛生な使用済み吸収性物品を最後まで手で持ち続ける必要があり、衛生的でない。また、使用済み吸収性物品を長手方向に丸めた後、その外面を少なくとも長手方向に個装シートで被覆しないと、臭気の放散や経血の浸み出しなどが生じるおそれがある。
【００１０】
そこで本発明の主たる課題は、大型の使用済み吸収性物品でも簡単にかつ衛生的に包むことができる個装吸収性物品を提供することにある。
【課題を解決するための手段】
【００１１】
上記課題を解決するために請求項１に係る本発明として、縦長の吸収性物品と、前記吸収性物品を個装する個装シートとを備えた個装吸収性物品であって、
前記個装シートは、長手方向の少なくとも一部の区間に、長手方向に伸張可能な伸張可能部が設けられていることを特徴とする個装吸収性物品が提供される。
【００１２】
上記請求項１記載の発明では、前記個装シートの長手方向の少なくとも一部の区間に、長手方向に伸張可能な伸張可能部が設けられているため、新しい吸収性物品を取り出した個装シートによって、この取り出した吸収性物品より大型の使用済み吸収性物品を包む場合でも、前記伸張可能部を伸張させることによって簡単に包むことができるようになる。また、使用済み吸収性物品が個装シートによって包まれるため、使用済み吸収性物品を触る機会が少なくて済むとともに、丸めた状態が確実に維持できるようになり、衛生的である。
【００１３】
請求項２に係る本発明として、前記伸張可能部は、前記個装シートが長手方向に複数に折り畳まれた蛇腹部によって構成されている請求項１記載の個装吸収性物品が提供される。
【００１４】
上記請求項２記載の発明は、前記伸張可能部の第１の実施形態例であり、個装シートを長手方向に複数に折り畳んだ蛇腹部によって構成したものである。このように構成された伸張可能部を長手方向に伸張させるには、個装シートを長手方向に引っ張って、前記蛇腹部の折り畳み状態を解除することにより成すことができる。
【００１５】
請求項３に係る本発明として、前記伸張可能部は、前記個装シートとして、長手方向に伸張可能な伸縮フィルムを用いることにより構成されている請求項１記載の個装吸収性物品が提供される。
【００１６】
上記請求項３記載の発明は、前記伸張可能部の第２の実施形態例であり、個装シートとして、長手方向に伸張可能な伸縮フィルムを用いることにより構成したものである。このように構成された伸張可能部を長手方向に伸張させるには、個装シートを長手方向に引っ張って、伸張可能な伸縮フィルム部分を伸張させることにより成すことができる。
【００１７】
請求項４に係る本発明として、前記伸張可能部は、長手方向に伸張可能な伸縮シートが、長手方向の両端部に設けられた伸縮シート固着部によって前記個装シートに接合された状態で配置されるとともに、平面視において前記伸縮シートと重なる位置であって前記伸縮シート固着部の間において、前記個装シートが長手方向に分割可能に形成されることにより構成されている請求項１記載の個装吸収性物品が提供される。
【００１８】
上記請求項４記載の発明は、前記伸張可能部の第３の実施形態例であり、長手方向に伸張可能な伸縮シートを所定の伸縮シート固着部で個装シートに接合した状態で配置し、所定の位置で個装シートを長手方向に分割可能に形成することにより構成している。このように構成された伸張可能部を長手方向に伸張させるには、個装シートを長手方向に引っ張って、個装シートを長手方向に分割するとともに、分割された個装シートの間に跨設された前記伸縮シートを伸張させることにより成すことができる。
【００１９】
請求項５に係る本発明として、前記個装吸収性物品は、前記吸収性物品に具備されたズレ止め粘着剤層を覆う剥離シートを備え、
前記剥離シートは、前記伸張可能部より長手方向の外方側に設けられた剥離シート固着部で前記個装シートに接合されるとともに、平面視において前記伸張可能部と重なる位置で、前記剥離シートが長手方向に分割可能に形成されている請求項１〜４いずれかに記載の個装吸収性物品が提供される。
【００２０】
上記請求項５記載の発明では、吸収性物品に具備されたズレ止め粘着剤層を覆う剥離シートを備える場合において、この剥離シートが所定の剥離シート固着部で前記個装シートに接合されるとともに、所定の位置で長手方向に分割可能に形成されている。これによって、前記個装シートを前記伸張可能部で長手方向に伸張させることによって、前記剥離シートが長手方向に分割されるようになる。長手方向に分割された剥離シートは、それぞれ前記剥離シート固着部によって個装シートに接合されているため、個装シートから剥がれ落ちることがなく、個装シートとともに廃棄物として簡単に処理できるようになる。
【００２１】
請求項６に係る本発明として、前記剥離シートの所定位置に、幅方向に亘るミシン目が設けられている請求項５記載の個装吸収性物品が提供される。
【００２２】
上記請求項６記載の発明では、前記伸張可能部を伸張させるため個装シートを長手方向に引っ張った際、前記剥離シートが長手方向に容易に分割できるようにするため、剥離シートの所定位置に幅方向に亘るミシン目を設けている。
【００２３】
請求項７に係る本発明として、前記剥離シートが分割される位置において、前記剥離シートの長手方向両側の外形線を幅方向に窪ませた凹部が形成されている請求項５、６いずれかに記載の個装吸収性物品が提供される。
【００２４】
上記請求項７記載の発明では、前記剥離シートが分割される位置に、前記剥離シートの長手方向両側の外形線を幅方向に窪ませた凹部を形成することにより、前記凹部が剥離シートを長手方向に引裂く際の引裂き開始点となり、所定の位置において剥離シートが長手方向に分割しやすくなる。
【発明の効果】
【００２５】
以上詳説のとおり本発明によれば、大型の使用済み吸収性物品でも簡単にかつ衛生的に包むことができるようになる。
【図面の簡単な説明】
【００２６】
【図１】第１形態例に係る個装吸収性物品の一部破断展開図である。
【図２】その横断面図（図１のII−II線矢視図）である。
【図３】(A)は個装状態、(B)は伸張状態を示す、個装シート１１の平面図である。
【図４】第１形態例に係る個装シート１１及び剥離シート１０の平面図である。
【図５】その縦断面図（図４のV−V線矢視図）である。
【図６】その伸張状態における個装シート１１及び剥離シート１０の平面図である。
【図７】第２形態例に係る個装シート１１及び剥離シート１０の平面図である。
【図８】その伸張状態における個装シート１１及び剥離シート１０の平面図である。
【図９】第３形態例に係る個装シート１１及び剥離シート１０の平面図である。
【図１０】その縦断面図（図９のX−X線矢視図）である。
【図１１】その伸張状態における個装シート１１及び剥離シート１０の平面図である。
【図１２】従来の吸収性物品Ｎを示す展開図である。
【図１３】その個装要領を示す斜視図である。
【発明を実施するための形態】
【００２７】
以下、本発明の実施の形態について図面を参照しながら詳述する。本発明に係る個装生理用ナプキンは、図１及び図２に示されるように、縦長の生理用ナプキン１と、この生理用ナプキン１を個装する個装シート１１とが備えられた構造である。また、前記生理用ナプキン１に具備されたズレ止め粘着剤層９を覆う剥離シート１０が個装シート１１に固着された状態で備えられている。
【００２８】
〔生理用ナプキン１の基本構成〕
前記生理用ナプキン１は、着用者の体液排出部位が長手方向の中央部に位置する、所謂昼用生理用ナプキンである。前記生理用ナプキン１は、図１及び図２に示されるように、不透液性裏面シート２と、透液性表面シート３との間に、吸収体４または同図に示されるように被包シート５によって囲繞された吸収体４が介在され、肌当接面側の両側部にサイド不織布７、７が設けられた構造である。
【００２９】
前記不透液性裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００３０】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。
【００３１】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞する被包シート５を設ける場合には、結果的に透液性表面シート３と吸収体４との間に被包シート５が介在することになり、クレープ紙などの吸収性に優れる前記被包シート５によって体液を速やかに拡散させるとともに、これら経血等の逆戻りを防止するようになる。
【００３２】
また、前記吸収体４には合成繊維を混合しても良い。前記合成繊維は、たとえばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３３】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は吸収体重量の１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００３４】
前記被包シート５は、ティシュー等の紙材あるいは不織布等の透液性のシート材を用いることができる。特に、資材の破壊（破れ）が生じにくい不織布を用いるのが好ましい。このような不織布としては、薄さと強度のバランスに優れたスパンボンド法やＳＭＳ法により加工された不織布、熱可塑性エラストマー樹脂などからなる弾性繊維をスパンボンド法、メルトブロー法など紡糸工程に直結してウェブを形成する方法により加工された不織布、ラテックス、ウレタン、オレフィン系の繊維など伸縮性を有する素材を主成分とする不織布が好適である。なお、被包シート５は、少なくとも吸収体４の肌当接面側（表面側）の面が撥水性でなければシートの親水度は特に問わない。
【００３５】
本生理用ナプキン１の表面側両側部にはそれぞれ長手方向に沿って、かつ生理用ナプキン１の全長に亘ってサイド不織布７，７が設けられているとともに、このサイド不織布７，７の外側部分が側方に延在されるとともに、前記不透液性裏面シート２が側方に延在され、これら側方に延在されたサイド不織布７部分と不透液性裏面シート２部分とをホットメルト接着剤等により接合して側部フラップが形成されている。
【００３６】
前記サイド不織布７としては、重要視する機能の点から撥水処理不織布または親水処理不織布を使用することができる。たとえば、尿やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いるのが望ましく、体液の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるのが望ましい。かかるサイド不織布７としては、天然繊維、合成繊維または再生繊維などを素材として、適宜の加工法によって形成されたものを使用することができるが、好ましくは目付け量を抑えて通気性を持たせた不織布を用いるのがよい。
【００３７】
前記サイド不織布７の内方側は、図２に示されるように、前記サイド不織布７をほぼ二重に折り返すとともに、この二重シート内部に、その高さ方向中間部に両端または長手方向の適宜の位置が固定された１または複数の、図示例では２本の糸状弾性伸縮部材８，８が配設され、その収縮力によって前記二重シート部分を表面側に起立させた立体ギャザーＧ、Ｇが形成されている。
【００３８】
図１に示されるように、前記透液性表面シート３と不透液性裏面シート２との間に吸収体４が介在された本体部分の非肌当接面（不透液性裏面シート２の外面）には、下着に対する固定のために適宜の塗布パターンによって複数条の、図示例では生理用ナプキン１の長手方向に沿うとともに幅方向に間隔を空けて３条の本体ズレ止め粘着剤層９，９…が形成されているとともに、これら本体ズレ止め粘着剤層９、９…が連続する１枚の剥離シート１０によって剥離可能に覆われている。
【００３９】
前記本体ズレ止め粘着剤層９を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００４０】
前記剥離シート１０としては、本体ズレ止め粘着剤層９に対する当接面に対し、例えばシリコーン系樹脂、フッ素系樹脂、または四フッ化エチレン系樹脂などの離型処理液を塗工するかスプレー塗布し離型処理した紙またはプラスチックシートを用いることができる。なお、特別に離型処理をしなくても、実質的に粘着力の低下を招かないものであれば、フィルムそのものであっても、不織布そのものであっても良い。
【００４１】
〔生理用ナプキン１の個装状態〕
上述の構成からなる生理用ナプキン１は、個装状態で、前記本体ズレ止め粘着剤層９、９…が前記剥離シート１０で覆われるとともに、さらにその外面に個装シート１１が配設され、前記生理用ナプキン１、剥離シート１０及び個装シート１１が一体的に長手方向に三つ折り又は四つ折りで折り畳まれ、開口する両側縁部分がヒートシール等によって封止されるとともに、長手方向端縁部分の開封部がタグテープ１２によって止着されている。
【００４２】
前記個装シート１１は、図１に示されるように、生理用ナプキン１の長手方向（前後方向）と対応する方向に延びる左右一対の長手側縁と、生理用ナプキン１の短手方向（幅方向）と対応する方向に延びる前後一対の短手側縁とにより画成される略矩形状のシートとされる。
【００４３】
前記個装シート１１としては、素材的には、プラスチックフィルム、不織布又は紙などを使用することができる。これらのうち、最も好ましいのは、後段で詳述するようにプラスチックフィルムである。
【００４４】
前記個装シート１１は、寸法的には、短手寸法としては、図１に示されるように、生理用ナプキン１の本体部分より幅広の両側に延在する寸法で形成されている。また、長手寸法としては、少なくとも一方端側（タグテープ１２が備えられる側、すなわち生理用ナプキン１の前側に対応する側）が生理用ナプキン１の前端より前側に延在して形成され、他方端側（生理用ナプキン１の後側に対応する側）は、個装要領によって生理用ナプキン１の後端より後側に延在して形成する形態（図１）、又は生理用ナプキン１の後端より短く形成する形態とすることが可能である。
【００４５】
前記個装シート１１と剥離シート１０とは、図１に示されるように、所定位置に設けられた剥離シート固着部１３によって剥離不能に接合されている。ここでいう「剥離不能」とは、個装生理用ナプキンの開封時に生理用ナプキン１を取り出す際の引張力によって個装シート１１と剥離シート１０との接合状態が解除されないことを意味する。
【００４６】
〔個装シート１１の伸張可能部２０〕
本発明に係る個装生理用ナプキンでは、前記個装シート１１の長手方向の少なくとも一部の区間に、長手方向に伸張可能な伸張可能部２０が設けられている。前記伸張可能部２０は、個装状態では、図３(A)に示されるように、収縮した状態であり、生理用ナプキン１を取り出した後、個装シート１１の長手方向両端部を手で長手方向に引っ張ることにより、同図３(B)に示されるように、長手方向に伸張した状態（伸張状態）に変化できるようになっている。すなわち、前記伸張状態とすることによって、個装シート１１の長手寸法が長くなる。これによって、例えば、就寝時に大型の夜用ナプキンを装着し、起床後に小型の昼用ナプキンに交換する場合などのように、新しい生理用ナプキン１を取り出した個装シート１１で、この取り出した生理用ナプキン１より大型の使用済み生理用ナプキンを包む場合でも、前記伸張可能部２０を長手方向に伸張させることによって、大型の使用済み生理用ナプキンを確実に包むことができるようになる。また、使用済み生理用ナプキンが個装シート１１によって包まれるため、使用済み生理用ナプキンを触る機会が少なくて済むとともに、丸めた状態が確実に維持できるため、衛生的である。
【００４７】
前記伸張可能部２０の具体的な実施形態例について、以下に詳述する。
【００４８】
（第１形態例）
第１形態例に係る伸張可能部２０Ａは、図４及び図５に示されるように、長手方向の少なくとも一部の区間に、前記個装シート１１が長手方向に複数に折り畳まれた蛇腹部２１を設けることによって構成されている。この伸張可能部２０Ａを長手方向に伸張させるには、図６に示されるように、個装シート１１を長手方向に引っ張って、蛇腹部２１の折り畳み状態を解除することにより成すことができる。前記伸張可能部２０Ａは、個装シート１１の長手方向の略中央部を中心とした長手方向の所定の区間に設けられている。
【００４９】
前記蛇腹部２１は、長手方向に間隔を空けた複数箇所で、個装シート１１を幅方向の全長に亘って長手方向に折り畳んだ部分である。図５に示されるように、各折り畳み部では、長手方向の一方側から他方側に延在する個装シート１１が長手方向の他方側位置で剥離シート１０の配設面側に折り返された第１折り返し部２１ａを形成するとともに、この折り返しによって長手方向の一方側に延在する個装シート１１が長手方向の一方側位置で剥離シート１０の配設面側に折り返される第２折り返し部２１ｂを形成することにより、断面略Ｚ状に折り畳まれている。
【００５０】
前記蛇腹部２１は、各折り畳み部において、個装シート１１の折り畳み状態を維持するため、各折り返し部の近傍に個装シート１１同士を接合する接合部２２を設けることができる。図５に示される形態例では、個装シート１１の内側（剥離シート１０の配設面側）に設けられた前記第２折り返し部２１ｂが個装シート１１の内側に突出しないように、前記第２折り返し部２１ｂの近傍位置を、その外側（剥離シート１０の非配設面側）に積層された個装シート１１に接合するための接合部２２が設けられている。この接合部２２は、前記第１折り返し部２１ａの近傍を、その内側に積層された個装シート１１に接合する位置に設けてもよいし、その両方に設けてもよい。前記接合部２２は、個装シート１１を手で長手方向に引っ張る引張力によって解除可能な程度の接合強度を有している。前記接合部２２は、幅方向の全長に亘って設けてもよいし、幅方向に部分的に設けてもよい。この接合部２２は、伸張可能部２０Ａの伸張状態において、個装シート１１の内面及び／又は外面において、使用済み生理用ナプキンを包む際の固定部としても利用することも可能である。
【００５１】
前記個装シート１１の素材としては、前記蛇腹部２１を折り畳んだ状態が維持しやすいように、プラスチックフィルムを用いるのが好ましい。
【００５２】
前記剥離シート１０は、前記伸張可能部２０Ａ（蛇腹部２１）より長手方向の前側及び後側にそれぞれ延在して設けられ、この延在した部分において剥離シート固着部１３によって個装シート１１に接合されている。一方、前後の剥離シート固着部１３、１３の間における前記伸張可能部２０Ａを含む長手方向の中間部では個装シート１１に接合されていない。前記剥離シート固着部１３を伸張可能部２０Ａと重なる位置に設けた場合には、前記剥離シート固着部１３によって伸張可能部２０Ａの伸張が阻害されるため好ましくない。
【００５３】
また、前記剥離シート１０は、平面視において前記伸張可能部２０Ａと重なる位置で、前記剥離シート１０が長手方向に２つに分割可能に形成されている。これによって、個装シート１１を前記伸張可能部２０Ａで長手方向に伸張させる際、前記剥離シート１０が長手方向に２つに分割され、伸張可能部２０Ａの伸張が可能になる。この２つに分割された剥離シート１０はそれぞれ、剥離シート固着部１３によって個装シート１１に接合されているため、個装シート１１から脱落することがなく、個装シート１１とともに廃棄物として簡単に処理できるようになる。
【００５４】
図４に示されるように、前記剥離シート１０が分割される位置に沿って、幅方向に亘るミシン目２３を設けるのが好ましい。これによって、前記個装シート１１を長手方向に引っ張った際、剥離シート１０が前記ミシン目２３に沿って長手方向に容易に引裂きできるようになる。
【００５５】
更に、剥離シート１０を容易に分割できるようにするため、前記剥離シート１０が分割される位置、すなわち前記ミシン目２３の両端部において、長手方向両側の外形線を幅方向に窪ませた凹部２４を形成するのが好ましい。この剥離シート１０の両側に形成された前記凹部２４の底部を結ぶようにして前記ミシン目２３を設けることにより、前記凹部２４が剥離シート１０をミシン目２３に沿って引き裂く際の引裂き開始点となりやすく、剥離シート１０がより一層長手方向に引裂きやすくなる。前記凹部２４は、長手方向に間隔を空けて複数設けることも可能であり、剥離シート１０の両側縁を全長に亘って凹凸状に形成することも可能である。
【００５６】
前記個装シート１１及び剥離シート１０の組立ては、前記個装シート１１を長手方向に折り畳んで前記蛇腹部２１を形成した後、前記剥離シート１０を積層し、前記剥離シート固着部１３によって個装シート１１に接合することにより行われる。
【００５７】
（第２形態例）
第２形態例に係る伸張可能部２０Ｂは、図７に示されるように、前記個装シート１１として、長手方向に伸張可能な伸縮フィルムを用いることにより構成されている。このような伸縮フィルムからなる個装シート１１の所定位置に、前記剥離シート１０が前記剥離シート固着部１３、１３によって接合されている。個装シート１１として伸縮フィルムを用いることにより、個装シート１１の全体が伸張可能に形成されるが、前記剥離シート固着部１３が設けられた領域では、伸縮フィルムの伸縮性が失われるため、主として、前後に離隔して設けられた剥離シート固着部１３、１３の間の長手区間が、長手方向に伸張可能な伸張可能部２０Ｂとして作用するようになる。
【００５８】
前記伸張可能部２０Ｂを長手方向に伸張させるには、図８に示されるように、前記個装シート１１を長手方向に引っ張って、前記剥離シート固着部１３、１３間の前記伸張可能部２０Ｂを長手方向に伸張させることにより成すことができる。
【００５９】
前記伸縮フィルムは特に限定されるものではなく、それ自体伸縮機能を有する樹脂フィルムであれば特に制限なく用いることができ、例えば、スチレン系エラストマー、オレフィン系エラストマー、ポリエステル系エラストマー、ポリアミド系エラストマー及びポリウレタン系エラストマー等の熱可塑性エラストマーの１種又は２種以上のブレンド物を、Ｔダイ法やインフレーション法などの押出成形によりフィルム状に加工したものを用いることができる。
【００６０】
前記伸張可能部２０Ｂの伸張前の長手方向の寸法Ｘ１は、５０〜８５ｍｍ、好ましくは５０〜６０ｍｍとするのがよい。この伸張前の長手方向の寸法Ｘ１は、長手方向の引張力を全く付加しない自然状態における長さである。また、伸張前の伸張可能部２０Ｂの長手方向の長さＸ１と、伸張後の伸張可能部２０Ｂの長手方向の長さＸ２との比率である伸長率（Ｘ２／Ｘ１×１００％）は、１３０〜６３０％、好ましくは２９０〜４９０％とするのがよい。前記伸張後の長手方向の長さＸ２は、個装シート１１の両端部を手で持って長手方向に引っ張った状態を想定した、幅寸法３５ｍｍの伸縮フィルムを長手方向に５．０Ｎで引っ張ったときの長さである。
【００６１】
上記第１形態例と同様に、前記剥離シート１０の分割位置に、前記ミシン目２３及び凹部２４を設けてもよい。
【００６２】
（第３形態例）
第３形態例に係る伸張可能部２０Ｃは、図９及び図１０に示されるように、前記個装シート１１の長手方向の一部の区間に、長手方向に伸張可能な伸縮シート２５が、長手方向の両端部に設けられた伸縮シート固着部２６、２６によって前記個装シート１１に接合された状態で配置され、平面視において前記伸縮シート２５と重なる位置であって前記伸縮シート固着部２６、２６の間において、前記個装シート１１が長手方向に分割可能に形成されることにより構成されている。前記伸縮シート２５は、前後端部に幅方向に沿って設けられた前記伸縮シート固着部２６、２６の間の長手区間において、長手方向に伸張可能となっており、この長手区間が前記伸張可能部２０Ｃとして機能している。
【００６３】
前記伸張可能部２０Ｃを長手方向に伸張させるには、図１１に示されるように、前記個装シート１１を長手方向に引っ張って、前記伸縮シート１１を所定の部位で長手方向に２つに分割するとともに、前記伸縮シート固着部２６、２６間の伸張可能部２０Ｃを長手方向に伸張させることにより成すことができる。
【００６４】
前記個装シート１１が分割される位置に沿って、幅方向に亘るミシン目２７を設けるのが好ましい。これによって、前記個装シート１１を長手方向に引っ張った際、個装シート１１が前記ミシン目２７に沿って長手方向に容易に分割できるようになる。前記ミシン目２７の両端部には、上述の剥離シート１０に設けられる凹部２４と同様に、個装シート１１の長手方向両側の外形線を幅方向に窪ませた凹部を形成してもよい（図示せず）。
【００６５】
前記個装シート１１の素材としては、前記ミシン目２７が形成しやすいように、プラスチックフィルムを用いるのが好ましい。
【００６６】
前記伸縮シート２５としては、特に限定されるものではなく、それ自体伸縮機能を有するシートであれば特に制限なく用いることができ、上述の伸縮フィルムと同様に、例えば、スチレン系エラストマー、オレフィン系エラストマー、ポリエステル系エラストマー、ポリアミド系エラストマー及びポリウレタン系エラストマー等の熱可塑性エラストマーの１種又は２種以上のブレンド物を、Ｔダイ法やインフレーション法などの押出成形によりフィルム状に加工したものを用いることができる。
【００６７】
前記伸縮シート２５は、個装シート１１の平面のうち、剥離シート１０の配設面側及び非配設面側のいずれかに配置することができるが、図９及び図１０に示されるように、剥離シート１０の配設面側に配置するのが好ましい。すなわち、前記伸縮シート２５は、個装シート１１と剥離シート１０との間に配置するのがよい。剥離シート１０の配設面側に配置することにより、前記伸縮シート２５が外部から見えにくくなり、外観が良好になるとともに、個装シート１１の外面からミシン目２７の位置が見えやすくなり、個装シート１１を長手方向に引っ張った際に個装シート１１を２つに分割しやすくなる。
【００６８】
前記伸縮シート２５の幅寸法は任意であり、前記個装シート１１とほぼ同じ幅に形成してもよいが、図９に示されるように、個装状態で長手方向に三つ折り又は四つ折りで折り畳んだ状態でヒートシールする個装シート１１の両側縁部分を残して、この部分より内側に配置されるように、個装シート１１より小さな幅で形成するのが好ましい。また、前記伸縮シート２５は、伸張状態での引張強度を確保するため、できる限り大きな幅寸法で形成するのが好ましく、前記剥離シート１０より幅広に形成するのが好ましい。なお、前記伸縮シート２５は、個装シート１１の両側からはみ出るくらい大きな幅で形成するのは好ましくない。
【００６９】
前記伸張可能部２０Ｃの伸張前の長手方向の寸法Ｂ１は、５０〜８５ｍｍ、好ましくは５０〜６０ｍｍとするのがよい。この伸張前の長手方向の寸法Ｂ１は、長手方向の引張力を全く付加しない自然状態における長さである。また、伸張前の伸張可能部２０Ｃの長手方向の長さＢ１と、伸張後の伸張可能部２０Ｃの長手方向の長さＢ２との比率である伸長率（Ｂ２／Ｂ１×１００％）は、１３０〜６３０％、好ましくは２９０〜４９０％とするのがよい。前記伸張後の長手方向の長さＢ２は、幅寸法３５ｍｍの伸縮シート２５を長手方向に５．０Ｎで引っ張ったときの長さである。
【００７０】
上記第１形態例と同様に、前記剥離シート１０の分割位置に、前記ミシン目２３及び凹部２４を設けてもよい。
【００７１】
前記剥離シート１０は、前記伸縮シート２５より長手方向の前側及び後側にそれぞれ延在して設けられ、この延在する部分に形成された剥離シート固着部１３によって個装シート１１に接合されている。
【００７２】
一方、前記伸縮シート２５と剥離シート１０とは、接合してもよいし、接合しなくてもよい。これらを接合する場合、任意の位置に接合部を設けることができるが、図９及び図１０に示されるように、個装シート１１を長手方向に引っ張った際、剥離シート１０に設けられたミシン目２３に沿って剥離シート１０が長手方向に分割する際の起点となるように、剥離シート１０のミシン目２３付近の前後位置にそれぞれ接合部２８、２８を設けるのが好ましい。前記接合部２８は、図示例のように、剥離シート１０の幅方向のほぼ全長に亘って設けてもよいし、少なくともミシン目２３を引き裂く際の起点となれば充分であるため、幅方向の両端部のみに設け、その中間部には設けないようにしてもよい。前記ミシン目２３の前後に配置された接合部２８、２８の離隔距離Ａは、前記伸縮シート固着部２６、２６の離隔距離Ｂ１より小さく設定されており、具体的には、３０〜８０ｍｍ、好ましくは３０〜５０ｍｍとするのがよい。この範囲の離隔距離Ａで配置することにより、剥離シート１０をミシン目２３に沿って引き裂きやすくなる。前記接合部２８の接合強度は任意であるが、前記ミシン目２３の引裂強度より大きく、かつ前記伸縮シート２５を伸張させる際の引張力より小さく設定することができる。これにより、個装シート１１を長手方向に引っ張って、剥離シート１０をミシン目２３に沿って引き裂いた後、伸縮シート２５を伸張させる際に、伸縮シート２５と剥離シート１０との接合が解除して、前記接合部２８の影響を受けることなく、伸縮シート２５が伸縮シート固着部２６、２６間の全長に亘って均等に伸張できるようになる。
【００７３】
次に、以上の構成からなる個装生理用ナプキンを用いて、それまでに装着していた使用済み生理用ナプキンを廃棄する方法について説明する。使用済み生理用ナプキンが昼用生理用ナプキンの場合、本発明に係る個装生理用ナプキンを開封して新しく取り出した生理用ナプキン１とほぼ同じ大きさであるため、生理用ナプキン１を取り出した個装シート１１を、そのままの状態で、長手方向に丸めた使用済み生理用ナプキンの外側を包むように長手方向に巻回し、その端部をタグテープ１２で止着して廃棄する。また、前記個装シート１１の伸張可能部２０を長手方向に伸張させた状態で長手方向に丸めた使用済み生理用ナプキンの外側を巻回することによって、より確実に使用済み生理用ナプキンが個装シート１１によって包まれるようにしてもよい。
【００７４】
一方、使用済み生理用ナプキンが夜用生理用ナプキンの場合、本発明に係る個装生理用ナプキンを開封して新しく取り出した生理用ナプキン１より大型のため、生理用ナプキン１を取り出した個装シート１１を長手方向に引っ張って、前記伸張可能部２０を伸張させた状態で、長手方向に丸めた使用済み生理用ナプキンの外側を包むように長手方向に巻回し、その端部をタグテープ１２で止着して廃棄する。
【００７５】
このように、本発明に係る個装生理用ナプキンでは、新しい生理用ナプキン１を取り出した個装シート１１によって、この新しく取り出した生理用ナプキン１とほぼ同じ大きさを有する使用済みの昼用生理用ナプキン及びこれより大型の使用済みの夜用生理用ナプキンのいずれであっても、簡単に包むことができるため、使用済み生理用ナプキンを丸めた状態が維持でき、経血吸収部分が露出するおそれがないとともに、個装シート１１で包囲されて衛生的であり、臭気の放散や経血の浸み出しなども抑えられるようになる。
【００７６】
〔他の形態例〕
(1)上記形態例では、生理用ナプキン１に具備されたズレ止め粘着剤層９を覆う剥離シート１０が剥離シート固着部１３、１３によって個装シート１１に接合されるように成されていたが、前記剥離シート１０が個装シート１１に接合されず、個装シート１１から生理用ナプキン１を取り出した状態で、剥離シート１０が生理用ナプキン１とともに個装シート１１から取り除かれるようにしてもよい。その後、生理用ナプキン１から剥離シート１０を剥離し、剥離シート１０を個別的に廃棄する。これにより、個装シート１１を長手方向に伸張させる際、剥離シート１０を引き裂いて長手方向に分割する必要がなくなる。また、剥離シート１０にミシン目２３を設ける必要もなくなる。
【００７７】
(2)また、前記個装シート１１のズレ止め粘着剤層９に対する当接面に対し剥離処理が施されていれば、前記剥離シート１０は設けなくてもよい。剥離シート１０を設けないことにより、個装シート１１を長手方向に伸張させる際、剥離シート１０を引き裂いて長手方向に分割する必要がなくなる。なお、前記個装シート１１が、フィルムや不織布など前記ズレ止め粘着剤層９に対する粘着力の低下を実質的に招かないものからなる場合には、前記剥離処理は施さなくてもよい。
【符号の説明】
【００７８】
１…生理用ナプキン、２…不透液性裏面シート、３…透液性表面シート、４…吸収体、５…被包シート、７…サイド不織布、９…本体ズレ止め粘着剤層、１０…剥離シート、１１…個装シート、１２…タグテープ、１３…剥離シート固着部、２０・２０Ａ・２０Ｂ・２０Ｃ…伸張可能部、２１…蛇腹部、２２…接合部、２３…ミシン目、２４…凹部、２５…伸縮シート、２６…伸縮シート固着部、２７…ミシン目、２８…接合部
【図１】
2020124424.tif 000003
【図２】
2020124424.tif 000004
【図３】
2020124424.tif 000005
【図４】
2020124424.tif 000006
【図５】
2020124424.tif 000007
【図６】
2020124424.tif 000008
【図７】
2020124424.tif 000009
【図８】
2020124424.tif 000010
【図９】
2020124424.tif 000011
【図１０】
2020124424.tif 000012
【図１１】
2020124424.tif 000013
【図１２】
2020124424.tif 000014
【図１３】
2020124424.tif 000015